(57)【要約】【課題】養生シート等の代用ができる空気調和機の梱包装置を得る。【解決手段】天井に設置する空気調和機の少なくともユニット本体２を梱包する梱包装置であって、ユニット本体２内の機器が露出する開口部分を覆うカバー部１１ｃと、ユニット本体２が有する突出部分を差し入れるスリット部１１ｂを有し、カバー部１１ｃをユニット本体２に固定する切り起こし部１１ａとを備え、養生シートとこれを固定するテープを不要としつつ、埃等の侵入を防止することができる。【選択図】図３
2015193398.tif 000002
【特許請求の範囲】
【請求項１】
天井に設置する空気調和機の少なくともユニット本体を梱包する梱包装置であって、
前記ユニット本体内の機器が露出する開口部分を覆うカバー部と、
前記ユニット本体が有する突出部分を差し入れるスリット部を有し、前記カバー部を前記ユニット本体に固定する切り起こし部と
を備えることを特徴とする空気調和機の梱包装置。
【請求項２】
前記開口部分よりも前記ユニット本体の筐体外枠側の位置にある前記突出部分を前記スリット部が差し入れ可能な位置に、前記切り起こし部を有することを特徴とする請求項１に記載の空気調和機の梱包装置。
【請求項３】
天井から吊り下げられた吊りボルトを通す穴を有する吊り金具を前記突出部分として、前記吊り金具を前記スリット部に差し入れることを特徴とする請求項１又は２に記載の空気調和機の梱包装置。
【請求項４】
段ボール製の前記梱包装置に前記切り起こし部となる部分を印刷し、
前記切り起こし部は、印刷した部分に沿って入れた切り込みにより形成することを特徴とする請求項１〜請求項３のいずれか一項に記載の空気調和機の梱包装置。
【請求項５】
前記印刷に、帯電防止用のインクを用いることを特徴とする請求項４に記載の空気調和機の梱包装置。
【請求項６】
機器を内蔵するユニット本体を有し、
請求項１〜請求項５のいずれか一項に記載の梱包装置が前記ユニット本体の開口部分を覆うように前記梱包装置を固定する突出部分を、前記開口部分よりも前記ユニット本体の筐体外枠側の位置に有することを特徴とする空気調和機。
【請求項７】
前記突出部分は、前記梱包装置を係止する突起を有することを特徴とする請求項６に記載の空気調和機。
【発明の詳細な説明】
【技術分野】
【０００１】
本発明は空気調和機を梱包する梱包装置に関するものである。
【背景技術】
【０００２】
従来、室内（空調対象空間）に設置される例えば吊り下げ型の空気調和機（例えば４方向カセット形の室内機等）は、梁等に吊り下げられるユニット本体（筐体）と、ユニット本体に取り付けられ、集塵用のフィルタ等を有し、室内空間に露出する部分となる化粧パネルを有している。ここで、ビルの施工等において、天井に空気調和機を設置する際、ユニット本体を吊り下げてから化粧パネルを取り付けるまでの工期期間には時間差があることが多い。例えば、天井貼り前にユニット本体を梁等に据付し、配管工事及び電気工事を施工する。この後、天井貼りをする。天井貼りをした後、ユニット本体に化粧パネルを取り付ける（例えば特許文献１参照）。
【先行技術文献】
【特許文献】
【０００３】
【特許文献１】特開２００３−２３２５６２号公報
【発明の概要】
【発明が解決しようとする課題】
【０００４】
通常、化粧パネルを取り付けるまでの間に吊り下げたユニット本体に埃等が入らないようにするため、養生シートをテープで固定する等して、ユニット本体の開口部を塞いでいる。しかし、化粧パネルを取り付けた後は、養生シート、テープ等は不要となるため、その分のゴミが増加する要因となっていた。
【０００５】
本発明は、上記のような課題を解決するためになされたもので、養生シート等の代用ができる空気調和機の梱包装置等を得ることを目的とする。
【課題を解決するための手段】
【０００６】
本発明に係る空気調和機の梱包装置は、天井に設置する空気調和機の少なくともユニット本体を梱包する梱包装置であって、ユニット本体内の機器が露出する開口部分を覆うカバー部と、ユニット本体が有する突出部分を差し入れるスリット部を有し、カバー部をユニット本体に固定する切り起こし部とを備えるものである。
【発明の効果】
【０００７】
本発明によれば、空気調和機を搬送する際に用いる梱包装置を利用し、ユニットの金具に差し入れる等して固定し、ユニット本体の開口部分を覆うことで、例えばユニット本体据付から化粧パネル取り付けまでの工期期間中のユニット本体内への埃等の侵入を防止することができる。そして、養生シートとこれを固定するテープを不要とするため施工時に発生するゴミを低減することができる。
【図面の簡単な説明】
【０００８】
【図１】本発明の実施の形態１に係る空気調和機の据付状態を示す斜視図である。
【図２】本発明の実施の形態１に係る梱包装置を説明する図である。
【図３】本発明の実施の形態１に係る保護シートとして利用する際の上部カバー１１を説明する図である。
【図４】本発明の実施の形態１に係る化粧パネル３を取り付ける前の空気調和機の据付状態を示す図である。
【図５】本発明の実施の形態１に係る上部カバー１１を保護シートとして利用する際の使用形態を説明する図である。
【発明を実施するための形態】
【０００９】
以下、本発明の実施の形態に係る空気調和機について図面等を参照しながら説明する。以下の図面において、同一の符号を付したものは、同一又はこれに相当するものであり、以下に記載する実施の形態の全文において共通することとする。そして、明細書全文に表されている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、図における上方を「上側」とし、下方を「下側」として説明する。そして、図面では各構成部材の大きさの関係が実際のものとは異なる場合がある。
【００１０】
実施の形態１．
図１は本発明の実施の形態１に係る空気調和機の据付状態を示す斜視図である。本実施の形態では、空気調和機の代表例として、室内の天井に埋め込むことができる天井埋め込み型で、四方向に吹出口を有する四方向カセット型の室内機１について説明する。室内機１は、冷媒配管により、図示しない室外機と接続し、冷媒を循環して冷凍、空気調和等を行う冷媒回路を構成する。ここでは、室内機１と室外機とに分離した空気調和機について説明するが、一体型の空気調和機でもよい。また、ここでは空気調和機として説明するが、本発明の空気調和機には、換気装置、冷凍装置等も含むものとする。
【００１１】
図１に示すように、本実施の形態の室内機１は、天板及び側板を有し、室内空間（空調対象空間）に向かって開口部分を有する箱状のユニット本体２を備えている。本実施の形態のユニット本体２の四隅外郭部分には吊り金具５が取り付けられている。一方で、４本の吊りボルト７が梁等から吊り下げられており、吊り金具５を吊りボルト７の任意の位置で締結することで、室内機１を固定し、設置している。
【００１２】
また、ユニット本体２は、図示しない室内送風機、室内空気を熱交換する室内機熱交換器等を収容している。室内機１の下方には、室内機１の意匠面（外装面）となる、平面視で略四角形状の化粧パネル３が取り付けられて室内空間に面している。化粧パネル３の中央付近には、室内機１内への空気の吸入口となる吸入グリルを、除塵用のフィルタとともに備えている。また、化粧パネル３の各辺には、空気の吹出口が、化粧パネル３の各辺に沿って形成されている。各吹出口には、風向ベーン４を備えている。
【００１３】
図２は本発明の実施の形態１に係る梱包装置を説明する図である。梱包装置は、室内機１を梱包する。図２（ａ）はユニット本体２と梱包装置との関係を示す図である。空気調和機の梱包装置は、段ボールを材料とする上部カバー１１、胴部カバー１２及び下部カバー１３を有している。上部カバー１１は梱包装置の蓋となり、ユニット本体２の上面を覆う。また、本実施の形態では、上部カバー１１を保護シートとして利用する。本実施の形態の上部カバー１１は、胴部カバー１２とのズレを防ぐため、縁（四辺）部分がほぼ直角に折り曲がって、箱状になっている。胴部カバー１２は、梱包装置の胴部分となり、ユニット本体２の側面を覆う。下部カバー１３は、梱包装置の底部分となり、ユニット本体２の下面を覆い、ユニット本体２を保持する。
【００１４】
図２（ｂ）はユニット本体２を梱包した梱包装置を示す図である。図２（ｂ）に示すように、上部カバー１１には、ユニット本体２の下面部分の外形に合わせた縁取りが印刷されている。例えば、ユニット本体２を室内に露出させるために、貼った天井に穴を空けて開口する際の位置決めを行う型紙となる。また、上部カバー１１には、他にも、ブランド名、型名、開梱手順、注意事項、使用方法等が印刷されている。特に本実施の形態では、切り起こし部１１ａ及びスリット部１１ｂとなる切り取り線等が上部カバー１１に印刷されている。特に限定するものではないが、ユニット本体２の開口部を覆う保護シートとして上部カバー１１を利用することを考慮すると、上部カバー１１への印刷に使用するインク（塗料）については、例えばガリウムを含む物質等、静電気除去（帯電防止）の材料を含むインクを用いて印刷することが望ましい。
【００１５】
図３は本発明の実施の形態１に係る保護シートとして利用する際の上部カバー１１を説明する図である。切り起こし部１１ａは、埃除け等の保護シートとして上部カバー１１を利用する際、カッター等で切り込みを入れられ、ほぼ垂直になるように切り起こされる部分である。スリット部１１ｂは、切り起こし部１１ａに形成され、ユニット本体２の吊り金具５が差し入れられる部分である。ここで、吊り金具５の差し込み方向と、切り起こした面とが直交するように切り起こし部１１ａを形成する。上部カバー１１の縁に切り込みを入れずにスリット部１１ｂの長さを確保するため、切り起こし部１１ａの一部が斜辺になっている。カバー部１１ｃは、保護シートとして利用する際、ユニット本体２の開口部分を覆い、埃等の侵入を防ぐ部分であり、各切り起こし部１１ａで囲まれる範囲となる。
【００１６】
スリット部１１ｂに吊り金具５を差し入れることで、上部カバー１１をユニット本体２に固定しカバー部１１ｃはユニット本体２の開口部分を覆うことができる。ここで、上部カバー１１に対してほぼ垂直になるように、スリット部１１ｂを有し、吊り金具５を差し入れるための部材（切り起こし部１１ａに対応する挿入部材）をあらかじめ形成してもよいが、例えば、搬送等の際に積み上げができない等の場合がある。また、切り起こし部１１ａ、スリット部１１ｂとなる切り込み、スリット等を上部カバー１１に入れておいてもよいが、搬送等の際に、内部に埃等が入る可能性がある。そこで、ここでは、切り起こし部１１ａ及びスリット部１１ｂを印刷するだけにし、利用する際に切り込み等を入れて切り起こすようにする。
【００１７】
図４は本発明の実施の形態１に係る化粧パネル３を取り付ける前の空気調和機の据付状態を示す図である。前述したように、ユニット本体２は室内空間に向かって開口部分２ａを有している。化粧パネル３を取り付けるのは、例えばビル等の内装を行う場合には天井貼り後となる。天井貼りを行う前には、空気調和機においては配管工事が行われる。また、他にも照明器具等の電気機器の配線等の工事が行われる。このため、例えばユニット本体２の開口部分２ａを外部の空間に露出させている（晒している）と、内部の流路に埃等が付着する。
【００１８】
図５は本発明の実施の形態１に係る上部カバー１１を保護シートとして利用する際の使用形態を説明する図である。図５（ａ）はユニット本体２に上部カバー１１を取り付けたときの全体図である。また、図５（ｂ）は吊り金具５の突出部分５ａが差し入れられ、ユニット本体２と上部カバー１１との間が固定されたスリット部１１ｂの部分を拡大した図である。スリット部１１ｂに吊り金具５の突出部分５ａを差し入れることで固定することができる。ここで、例えば突出部分５ａに突起を形成しておき、スリット部１１ｂが突起よりも内側となるように、吊り金具５を差し入れ、スリット部１１ｂを突起に係合させることで、吊り金具５がスリット部１１ｂから抜けることを防止し、より強固な固定を実現することができる。
【００１９】
以上のように、実施の形態１の空気調和機の梱包装置においては、ユニット本体２の開口部を覆う保護シートとして上部カバー１１を利用するようにしたので、例えば、ユニット本体２を据え付けてから化粧パネル３を取り付けるまでの間、ユニット本体２の埃除け等に養生シートを用いる必要がない。また、上部カバー１１の切り起こし部１１ａのスリット部１１ｂに、ユニット本体２の吊り金具５を差し入れて固定するようにしたので、ボルトで係止する、テープで固定する等が不要となる。このため、手間がかからず、ゴミの削減をはかることができる。また、上部カバー１１を天井における位置決めの型紙として利用することができる。さらに、上部カバー１１への印刷を行う際、帯電防止用のインク（塗料）等により印刷を用いて印刷を行うようにすることで、さらに効率よく埃等の付着を防ぐことができる。
【００２０】
実施の形態２．
上述の実施の形態１においては、ユニット本体２の吊り金具５をスリット部１１ｂに差し入れるようにしたが、これに限定するものではなく、ユニット本体２から突出する他の金具等をスリット部１１ｂに差し入れるようにしてもよい。例えば、ユニット本体２に化粧パネル３を固定する化粧パネル固定金具等に係合する等、ユニット本体２の開口部分を覆って固定できるものであればよい。また、梱包装置固定用の係止具等をあらたに設けてもよい。
【００２１】
また、上述の実施の形態１では、上部カバー１１の上面側とユニット本体２の開口部分と対向させるように、上部カバー１１を取り付けるようにしたが、上部カバー１１の下面側とユニット本体２の開口部分と対向させるように取り付けるようにしてもよい。
【００２２】
また、上述の実施の形態１では、上部カバー１１を保護シートとして用いるようにしたが、胴部カバー１２等を用いてもよい。
【符号の説明】
【００２３】
１  室内機、２  ユニット本体、２ａ  開口部分、３  化粧パネル、４  風向ベーン、５  吊り金具、５ａ  突出部分、７  吊りボルト、１１  上部カバー、１１ａ  切り起こし部、１１ｂ  スリット部、１１ｃ  カバー部、１２  胴部カバー、１３  下部カバー。
【図１】
2015193398.tif 000003
【図２】
2015193398.tif 000004
【図３】
2015193398.tif 000005
【図４】
2015193398.tif 000006
【図５】
2015193398.tif 000007